(57)【要約】【課題】  調光器から送出される信号を照明装置の照明用電源装置が受信できなくなった場合でも照明装置の点灯を維持することができる照明用電源装置、照明装置、直流電力線搬送通信照明システムおよび照明制御方法を提供することである。【解決手段】  実施形態の照明用電源装置は、直流電源と制御信号を送出する調光器とが接続されるとともに、直流電力および制御信号の媒体となる導体線に接続する導体線接続端子と；光源に接続する光源接続端子と；導体線接続端子および光源接続端子に接続されるとともに、光源を点灯制御する点灯回路と；調光器から送出された制御信号を導体線を介して受信する信号受信部と、信号受信部が受信する制御信号に応じて点灯回路を制御するとともに、入力される信号が無信号となると光源が全光点灯するように点灯回路を制御する点灯制御部とを有する制御回路と；を持つ。【選択図】図１
2014041772.tif 000002
【特許請求の範囲】
【請求項１】
直流電源と制御信号を送出する調光器とが接続されるとともに、直流電力および制御信号の媒体となる導体線に接続する導体線接続端子と；
光源に接続する光源接続端子と；
導体線接続端子および光源接続端子に接続されるとともに、光源を点灯制御する点灯回路と；
調光器から送出された制御信号を導体線を介して受信する信号受信部と、信号受信部が受信する制御信号に応じて点灯回路を制御するとともに、入力される信号が無信号となると光源が全光点灯するように点灯回路を制御する点灯制御部とを有する制御回路と；
を具備することを特徴とする照明用電源装置。
【請求項２】
請求項１記載の照明用電源装置と：
光源接続端子に接続される光源と；
を具備することを特徴とする照明装置。
【請求項３】
直流電源と；
制御信号を送出する調光器と；
直流電源と制御信号を送出する調光器とが接続されるとともに、直流電力および制御信号の媒体となる導体線と；
導体線接続端子を介して導体線に接続する請求項２記載の照明装置と；
を具備することを特徴とする直流電力線搬送通信照明システム。
【請求項４】
調光度、点灯開始または消灯に応じた制御信号を送出するステップと；
直流電源と制御信号を送出する調光器とが接続されるとともに、直流電力および制御信号の媒体となる導体線を介して、送出された信号を伝送するステップと；
伝送された信号の有無を検出するステップと；
伝送された信号が無信号となると光源を全光点灯するように点灯回路を制御するステップと；
を具備することを特徴とする照明制御方法。
【発明の詳細な説明】
【技術分野】
【０００１】
本発明の実施形態は、照明用電源装置、照明装置、直流電力線搬送通信照明システムおよび照明制御方法に関する。
【背景技術】
【０００２】
従来の電力線搬送通信装置は、電力通信線に負荷としての照明装置を接続し、信号源として調光器を接続した場合に、調光器から送出される信号を照明装置の照明用電源装置が受信できなくなった場合には、照明装置が消灯する虞があった。
【先行技術文献】
【特許文献】
【０００３】
【特許文献１】特開２００６−２６１９４６号公報
【発明の概要】
【発明が解決しようとする課題】
【０００４】
本発明が解決しようとする課題は、調光器から送出される信号を照明装置の照明用電源装置が受信できなくなった場合でも照明装置の点灯を維持することができる照明用電源装置、照明装置、直流電力線搬送通信照明システムおよび照明制御方法を提供することである。
【課題を解決するための手段】
【０００５】
実施形態の照明用電源装置は、直流電源と制御信号を送出する調光器とが接続されるとともに、直流電力および制御信号の媒体となる導体線に接続する導体線接続端子と；光源に接続する光源接続端子と；導体線接続端子および光源接続端子に接続されるとともに、光源を点灯制御する点灯回路と；調光器から送出された制御信号を導体線を介して受信する信号受信部と、信号受信部が受信する制御信号に応じて点灯回路を制御するとともに、入力される信号が無信号となると光源が全光点灯するように点灯回路を制御する点灯制御部とを有する制御回路と；を持つ。
【０００６】
実施形態の照明制御方法は、調光度、点灯開始または消灯に応じた制御信号を送出するステップと；直流電源と制御信号を送出する調光器とが接続されるとともに、直流電力および制御信号の媒体となる導体線を介して、送出された信号を伝送するステップと；伝送された信号の有無を検出するステップと；伝送された信号が無信号となると光源を全光点灯するように点灯回路を制御するステップと；持つ。
【発明の効果】
【０００７】
本発明によれば、調光器から送出される信号を照明装置の照明用電源装置が受信できなくなった場合でも照明装置の点灯を維持することが期待できる。
【図面の簡単な説明】
【０００８】
【図１】図１は、実施例１の照明用電源装置１００、照明装置１０１、および直流電力線搬送通信照明システム２００の全体構成を示すブロック図である。
【発明を実施するための形態】
【０００９】
（第１の実施形態）第１の実施形態の照明用電源装置は、直流電源と制御信号を送出する調光器とが接続されるとともに、直流電力および制御信号の媒体となる導体線に接続する導体線接続端子と；光源に接続する光源接続端子と；導体線接続端子および光源接続端子に接続されるとともに、光源を点灯制御する点灯回路と；調光器から送出された制御信号を導体線を介して受信する信号受信部と、信号受信部が受信する制御信号に応じて点灯回路を制御するとともに、入力される信号が無信号となると光源が全光点灯するように点灯回路を制御する点灯制御部とを有する制御回路と；を持つ。
【００１０】
（第２の実施形態）第２の実施形態の照明装置は、第１の実施形態の照明用電源装置と；光源接続端子に接続される光源と；を持つ。
【００１１】
（第３の実施形態）第３の実施形態の直流電力線搬送通信照明システムは、直流電源と；制御信号を送出する調光器と；直流電源と制御信号を送出する調光器とが接続されるとともに、直流電力および制御信号の媒体となる導体線と；導体線接続端子を介して導体線に接続する第２の実施形態の照明装置と；を持つ。
【００１２】
（第４の実施形態）第４の実施形態の照明制御方法は、調光度、点灯開始または消灯に応じた制御信号を送出するステップと；直流電源と制御信号を送出する調光器とが接続されるとともに、直流電力および制御信号の媒体となる導体線を介して、送出された信号を伝送するステップと；伝送された信号の有無を検出するステップと；伝送された信号が無信号となると光源を全光点灯するように点灯回路を制御するステップと；を持つ。
【００１３】
以下、実施形態の照明用電源装置、照明装置、直流電力線搬送通信照明システムおよび照明制御方法を図面を参照して説明する。
【実施例１】
【００１４】
以下、本発明の実施例１について図１を参照して説明する。図１は、実施例１の照明用電源装置１００、照明装置１０１および直流電力線搬送通信照明システム２００の全体構成を示すブロック図である。実施例１の照明用電源装置１００、照明装置１０１および直流電力線搬送通信照明システム２００の構成を以下に説明する。
【００１５】
照明用電源装置１００および照明装置１０１は、導体線接続端子１を介して、導体線１０３に接続される。導体線１０３には、直流電源１０２および調光器１０４が接続される。
【００１６】
導体線接続端子１、直流電源１０２、導体線１０３および調光器１０４の構成は特段限定されないが、調光器１０４は導体線１０３から常に電力供給を受けるとともに、照明用電源装置１００が動作している間は常に制御信号を送出し続ける。「照明用電源装置１００が動作している」とは、点灯回路３により光源７が点灯制御されている状態を意味する。なお、調光器１０４は、照明装置１０１に点灯開始および消灯を指示することもできる。
【００１７】
導体線接続端子１には、保護回路８が接続される。保護回路８は、過電流または過電圧等から照明用電源装置１００または光源７を保護するためのものであり、その構成については限定されない。
【００１８】
保護回路８には、ラインフィルタ９および結合回路１０がそれぞれ並列に接続される。ラインフィルタ９には、制御回路用電源回路１３および点灯回路３がそれぞれ並列に接続される。点灯回路３は光源接続端子２を介して光源７に接続される。
【００１９】
点灯回路３は、ＤＣ／ＤＣコンバータであって、構成は特に限定されず、後述する制御回路６の点灯制御部５によって、制御信号および伝送信号に応じて光源７を点灯制御する。また、光源７の構成は特に限定されず、発光ダイオードや有機ＥＬでもよい。
【００２０】
制御回路用電源回路１３は、後述する制御回路６に電源を供給するものであれば構成は特に限定されない。
【００２１】
結合回路１０は、導体線１０３に制御回路６から出力フィルタ１２を介して出力された情報を高周波成分として重畳する一方で、調光器１０４から制御信号として送出され、導体線１０３を介して伝送された伝送信号を高周波成分として取り出すものである。
【００２２】
結合回路１０には、入力フィルタ１１および出力フィルタ１２がそれぞれ並列に接続される。また、入力フィルタ１１および出力フィルタ１２はそれぞれ制御回路６に接続される。さらにまた、入力フィルタ１１は制御回路６に設けられた信号受信部４に接続され、信号受信部４には点灯制御部５が接続される。点灯制御部５は点灯回路３を制御することにより、光源７を点灯制御する。
【００２３】
ラインフィルタ９、入力フィルタ１１および出力フィルタ１２は、入力された電気信号に帯域制限をかけたり、特定の周波数成分を取り出したりするフィルタの役割をする電気回路であればよい。
【００２４】
照明装置１０１、直流電源１０２、導体線１０３および調光器１０４により直流電力線搬送通信照明システム２００が形成される。
【００２５】
照明用電源装置１００、照明装置１０１および直流電力線搬送通信照明システム２００の動作について説明する。
【００２６】
調光器１０４は、直流電源１０２から導体線１０３を介して電力が供給され、調光度に応じた制御信号を送出する。制御信号は、調光器１０４に直流電源１０２から電源が供給される限り、送出され続ける。
【００２７】
一方で、照明装置１０１にも直流電源１０２から電源が供給され、点灯回路３および制御回路用電源回路１３に、導体線１０３、導体線接続端子１、保護回路８およびラインフィルタ９を介して、電源が供給される。点灯回路３および制御回路用電源回路１３は、それぞれ光源７および制御回路６を駆動するための電源を生成する。
【００２８】
調光器１０４から調光度に応じた制御信号が送出されると、制御信号は導体線１０３を介して伝送される。導体線１０３を伝送された制御信号としての伝送信号は、導体線接続端子１および保護回路８を介して、結合回路１０に伝送され、結合回路１０により信号成分が分離される。分離された伝送信号は、入力フィルタ１１を介して信号受信部４に入力され、信号受信部４に入力された伝送信号は点灯制御部５に伝送され、点灯制御部５は伝送された伝送信号に基づき、点灯回路３を制御することにより、光源７を点灯制御する。
【００２９】
上記の通り、調光器１０４に直流電源１０２から電源が供給される限り、調光器１０４は制御信号を送出し続けるものであるが、直流電源１０２から電源が供給されているにも関わらず、信号受信部４、点灯制御部５または制御回路６に調光度に応じた制御信号に基づく伝送信号が入力されない場合、導体線１０３の断線または導体線接続端子１、保護回路８、結合回路１０、入力フィルタ１１若しくは信号受信回路４の故障が考えられるため、制御回路６は、光源７を全光点灯するような点灯回路３の点灯制御を行うように点灯制御部５に指示する。点灯回路３は点灯制御部５の指示に応じて、光源７を全光点灯させる。
【００３０】
調光度に応じた制御信号に基づく伝送信号の入力が再開された場合、信号受信部４または制御回路６は、伝送信号の入力の再開を検出し、点灯制御部５に対して光源７を全光点灯するような点灯回路３への指示を停止する。さらに、制御回路６は、点灯制御部５に伝送された伝送信号に基づき、点灯回路３を制御することにより、光源７を点灯制御するように指示する。
【実施例２】
【００３１】
以下、照明用電源装置１００、照明装置１０１および直流電力線搬送通信照明システム２００の照明制御方法について図１を参照して説明する。
【００３２】
調光器１０４は、直流電源１０２から導体線１０３を介して電力が供給され、調光度、点灯開始または消灯に応じた制御信号を送出する（ステップ１）。なお、制御信号は、調光器１０４に直流電源１０２から電源が供給される限り、送出され続ける。
【００３３】
一方で、照明装置１０１にも直流電源１０２から電源が供給され、点灯回路３および制御回路用電源回路１３に、導体線１０３、導体線接続端子１、保護回路８およびラインフィルタ９を介して、電源が供給される。
【００３４】
ステップ１に続いて、点灯回路３および制御回路用電源回路１３は、それぞれ光源７および制御回路６を駆動するための電源を生成する（ステップ２）。
【００３５】
ステップ２に続いて、直流電源１０２と制御信号を送出する調光器１０４とが導体線１０３を介して接続されるとともに、直流電力および制御信号の媒体となる導体線１０３を介して、調光器１０４から調光度、点灯開始または消灯に応じた制御信号が送出される（ステップ３）。ステップ３に続いて、制御信号は導体線１０３を介して伝送される（ステップ４）。
【００３６】
導体線１０３を伝送された制御信号としての伝送信号は、導体線接続端子１および保護回路８を介して、結合回路１０に伝送され、結合回路１０により信号成分が分離される（ステップ５）。
【００３７】
ステップ５に続いて、分離された伝送信号は、入力フィルタ１１を介して信号受信部４に入力される（ステップ６）。ステップ６に続いて、信号受信部４に入力された伝送信号は点灯制御部５に伝送される（ステップ７）。ステップ７に続いて、信号受信部４、点灯制御部５または制御回路６は、伝送された信号の有無を検出する（ステップ８）。ステップ８に続いて、点灯制御部５は伝送された伝送信号に基づき、点灯回路３を制御することにより、光源７を点灯制御する（ステップ９）。
【００３８】
上記の通り、調光器１０４に直流電源１０２から電源が供給される限り、調光器１０４は制御信号を送出し続けるものであるが、直流電源１０２から電源が供給されているにも関わらず、信号受信部４、点灯制御部５または制御回路６に調光度に応じた制御信号に基づく伝送信号が入力されない場合、導体線１０３の断線または導体線接続端子１、保護回路８、結合回路１０、入力フィルタ１１若しくは信号受信回路４の故障が考えられる。よって、ステップ８に続いて、伝送された信号が無信号となると、制御回路６は光源７を全光点灯するような点灯回路３の点灯制御を行うように点灯制御部５に指示する（ステップ１０）。ステップ１０に続いて、点灯回路３は点灯制御部５の指示に応じて、光源７を全光点灯させる（ステップ１１）。
【００３９】
調光度に応じた制御信号に基づく伝送信号の入力が再開された場合、信号受信部４または制御回路６は、伝送信号の入力の再開を検出し、点灯制御部５に対して光源７を全光点灯するような点灯回路３への指示を停止する（ステップ１２）。さらに、制御回路６は、点灯制御部５に伝送された伝送信号に基づき、点灯回路３を制御することにより、光源７を点灯制御するように指示する（ステップ１３）。
【００４０】
実施例１および２の効果を説明する。
【００４１】
実施例１および２によれば、直流電源１０２から電源が供給されているにも関わらず、信号受信部４、点灯制御部５または制御回路６に調光度に応じた制御信号に基づく伝送信号が入力されない場合でも、信号受信部４、点灯制御部５または制御回路６は、伝送された信号の有無を検出し、伝送された信号が無信号となると、制御回路６は光源７を全光点灯するような点灯回路３の点灯制御を行うように点灯制御部５に指示し、点灯回路３は点灯制御部５の指示に応じて、光源７を全光点灯させるので、照明装置１０１の点灯を維持することができる。
【００４２】
本発明のいくつかの実施形態を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【００４３】
導体線接続端子・・・１
光源接続端子・・・２
点灯回路・・・３
信号受信部・・・４
点灯制御部・・・５
制御回路・・・６
照明用電源装置・・・１００
光源・・・７
照明装置・・・１０１
直流電源・・・１０２
導体線・・・１０３
調光器・・・１０４
直流電力線搬送通信照明システム・・・２００
【図１】
2014041772.tif 000003